【手続補正書】
【提出日】平成21年5月15日(2009.5.15)
【手続補正１】
【補正対象書類名】特許請求の範囲
【補正対象項目名】全文
【補正方法】変更
【補正の内容】
【特許請求の範囲】
【請求項１】
少なくとも１つの第１の以前に格納された第１のバイオメトリックサンプルを迅速にサーチするシステムであって、
ａ．格納手段であって、
（ｉ）第１の個人からバイオメトリックサンプルと個人識別コードとを収集する第１の収集手段であって、該個人識別コードは、該格納手段に格納されている個人識別コードバスケットを識別するためのものである、第１の収集手段と、
（ｉｉ）第１の相互接続手段であって、該第１の収集手段を該少なくとも１つのコンピュータに相互接続し、該収集されたバイオメトリックサンプルと個人識別コードとを該第１の収集手段から該少なくとも１つのコンピュータに送信する第１の相互接続手段と、
（ｉｉｉ）該第１の個人から収集された該個人識別コードによって識別された個人識別コードバスケットを特定する特定手段であって、該個人識別コードバスケットは、バイオメトリックサンプルを格納するためのものである、特定手段と、
（ｉｖ）比較手段であって、該第１の個人から収集されたバイオメトリックサンプルと該特定された個人識別コードバスケットに以前に格納された任意のバイオメトリックサンプルとを比較することにより、該第１の個人から収集されたバイオメトリックサンプルが、該特定された個人識別コードバスケットに以前に格納された任意のバイオメトリックサンプルに対してアルゴリズム的にユニークであることを確認する比較手段と、
（ｖ）該第１の個人から収集されたバイオメトリックサンプルが、該特定された個人識別コードバスケットに以前に格納された任意のバイオメトリックサンプルに対してアルゴリズム的にユニークである場合に、該第１の個人から収集されたバイオメトリックサンプルを該特定された個人識別コードバスケットに格納する手段と
を含む、格納手段と、
ｂ．送信権要求手段であって、
（ｉ）第２の収集手段であって、該第１の個人から該バイオメトリックサンプルと該個人識別コードとを収集する第２の収集手段と、
（ｉｉ）第２の相互接続手段であって、該第２の収集手段を該少なくとも１つのコンピュータに相互接続し、該収集されたバイオメトリックサンプルと個人識別コードとを該第２の収集手段から該少なくとも１つのコンピュータに送信する第２の相互接続手段と
を含む、送信権要求手段と、
ｃ．サーチ手段であって、
（ｉ）該特定手段であって、該第１の個人から収集された該個人識別コードによって識別された個人識別コードバスケットを特定する該特定手段と、
（ｉｉ）該第１の個人から収集されたバイオメトリックサンプルと、該該特定された個人識別コードバスケットに以前に格納された任意のバイオメトリックサンプルとを比較する該比較手段であって、該第１の個人から収集されたバイオメトリックサンプルが、該特定された個人識別コードバスケットに以前に格納された任意のバイオメトリックサンプルと同一である場合には、識別結果が成功であると判定し、該第１の個人から収集されたバイオメトリックサンプルが、該特定された個人識別コードバスケットに以前に格納された任意のバイオメトリックサンプルと同一でない場合には、識別結果が失敗であると判定する、該比較手段と
を含む、サーチ手段と
を含む、システム。
【請求項２】
前記特定された個人識別コードバスケットに以前に格納されたバイオメトリックサンプルは、少なくとも１人の第２の個人から収集されたバイオメトリックサンプルを含む、請求項１に記載のシステム。
【請求項３】
前記比較手段は、前記第１の個人から収集されたバイオメトリックサンプルと、前記少なくとも１人の第２の個人からの、前記特定された個人識別コードバスケットに以前に格納された任意のバイオメトリックサンプルとを比較することを含む、請求項２に記載のシステム。
【請求項４】
少なくとも１つの第１の以前に格納された第１のバイオメトリックサンプルを迅速にサーチする自発的なトークンレス識別コンピュータシステムであって、
個人識別コードバスケットを格納している少なくとも１つのコンピュータであって、該
個人識別コードバスケットは、第１の個人と少なくとも１人の第２の個人とからのバイオメトリックサンプルを格納するためのものである、少なくとも１つのコンピュータと、
送信権要求手段であって、
収集手段であって、該第１の個人からバイオメトリックサンプルと個人識別コードとを収集する収集手段と、
相互接続手段であって、該収集手段を該少なくとも１つのコンピュータに相互接続し、該収集されたバイオメトリックサンプルと個人識別コードとを該収集手段から該少なくとも１つのコンピュータに送信する相互接続手段と
を含み、該少なくとも１つのコンピュータは、
特定手段であって、該第１の個人から収集された該個人識別コードによって識別された個人識別コードバスケットを特定する特定手段と、
該第１の個人から収集されたバイオメトリックサンプルと、該特定された個人識別コードバスケットに以前に格納された任意のバイオメトリックサンプルとを比較する比較手段であって、該第１の個人から収集されたバイオメトリックサンプルが、該特定された個人識別コードバスケットに以前に格納された任意のバイオメトリックサンプルと同一である場合には、識別結果が成功であると判定し、該第１の個人から収集されたバイオメトリックサンプルが、該特定された個人識別コードバスケットに以前に格納された任意のバイオメトリックサンプルと同一でない場合には、識別結果が失敗であると判定する、比較手段と
をさらに含む、システム。
【請求項５】
前記比較手段は、前記第１の個人から収集されたバイオメトリックサンプルと、前記少なくとも１人の第２の個人からの、前記特定された個人識別コードバスケットに以前に格納された任意のバイオメトリックサンプルとを比較することを含む、請求項４に記載のシステム。
【請求項６】
前記収集手段は、第１の収集手段を含み、前記相互接続手段は、第１の相互接続手段を含み、前記少なくとも１つのコンピュータは、
該第１の個人から該バイオメトリックサンプルと該個人識別コードとを収集する第２の収集手段であって、該個人識別コードは、該少なくとも１つのコンピュータに格納された該個人識別コードバスケットを識別するためのものである、第２の収集手段と、
第２の相互接続手段であって、該第２の収集手段を該少なくとも１つのコンピュータに相互接続し、該収集されたバイオメトリックサンプルと個人識別コードとを該第２の収集手段から該少なくとも１つのコンピュータに送信する第２の相互接続手段と、
該第１の個人から収集された該個人識別コードによって識別された個人識別コードバスケットを特定する前記特定手段であって、該個人識別コードバスケットは、バイオメトリックサンプルを格納するためのものである、前記特定手段と、
前記比較手段であって、該第１の個人から収集されたバイオメトリックサンプルと該特定された個人識別コードバスケットに以前に格納された任意のバイオメトリックサンプルとを比較することにより、該第１の個人から収集されたバイオメトリックサンプルが、該特定された個人識別コードバスケットに以前に格納された任意のバイオメトリックサンプルに対してアルゴリズム的にユニークであることを確認する前記比較手段と、
該第１の個人から収集されたバイオメトリックサンプルが、該特定された個人識別コードバスケットに以前に格納された任意のバイオメトリックサンプルに対してアルゴリズム的にユニークである場合に、該第１の個人から収集されたバイオメトリックサンプルを該特定された個人識別コードバスケットに格納する手段と
をさらに含む、請求項４に記載のシステム。
【請求項７】
前記第１の収集手段は、前記第１の個人からプライベートコードを収集することをさらに含み、
前記第１の相互接続手段は、該収集されたプライベートコードを前記少なくとも１つのコンピュータに送信することをさらに含む、請求項６に記載のシステム。
【請求項８】
前記少なくとも１つのコンピュータは、実行手段をさらに含み、該実行手段は、コマンドを処理し、実行することにより、判定を生成する、請求項７に記載のシステム。
【請求項９】
前記少なくとも１つのコンピュータは、表示手段をさらに含み、該表示手段は、前記判定を表示する、請求項８に記載のシステム。
【請求項１０】
前記自発的なトークンレス識別コンピュータシステムは、表示手段をさらに含み、該表示手段は、前記第１の個人の識別が成功すると、前記プライベートコードを提示する、請求項７〜９のいずれか一項に記載のシステム。
【請求項１１】
前記第１の収集手段および前記第２の収集手段のそれぞれは、暗号化手段をさらに含み、該暗号化手段は、秘密鍵を用いて、前記収集された個人識別コードに対して非可逆的一方向変換を実行する、請求項６に記載のシステム。
【請求項１２】
前記実行手段は、電子金融取引を実行する、請求項８に記載のシステム。